(57)【要約】      （修正有）【課題】互いに差し込み可能な２つの差し込みコネクタ部分を備えた、差し込みコネクタ装置を提供する。【解決手段】互いに差し込み可能な２つの差し込みコネクタ部分１００を有し、両者がそれぞれ互いに適合されたハウジング部分１０１と、その中で互いに適合された差し込み接点１１０とを有し、２つのハウジング部分１０１が、２つのハウジング部分を互いに取り外し可能に係止するための係止部材を有し、係止部材が、第１のハウジング部分１０１内の舌片収容ポケット内に配置された、係止突片３１０を備えた少なくとも１つの係止舌片３００を有し、係止突片３１０が、そのために設けられている、第２のハウジング部分のハウジング壁内の開口部内へ嵌入する。【選択図】図１
0003218961.tif 000002
【実用新案登録請求の範囲】
【請求項１】
互いに差し込み可能な２つの差し込みコネクタ部分（１００、２００）を有し、前記両者がそれぞれ互いに適合されたハウジング部分（１０１、２０１）と、その中で互いに適合された差し込み接点（１１０、２１０）とを有し、前記２つのハウジング部分（１０１、２０１）が、前記２つのハウジング部分を互いに取り外し可能に係止するための係止部材を有している、差し込みコネクタ装置において、
前記係止部材が、第１のハウジング部分（１００）内の舌片収容ポケット（５００）内に配置された、係止突片（３１０）を備えた少なくとも１つの係止舌片（３００）を有し、
前記係止突片（３１０）が、そのために設けられている、第２のハウジング部分（２０１）のハウジング壁内の開口部（４００）内へ嵌入し、かつ
第１のハウジング部分（１０１）内の前記舌片収容ポケット（５００）が、実質的にＵ字形状の横断面をもって溝状に形成されており、
２つの側方のＵ脚（５１０、５２０）が前記係止舌片（３００）を越えて張り出している、
ことを特徴とする差し込みコネクタ装置。
【請求項２】
前記２つのＵ脚（５１０、５２０）が、差し込み側において、第１のハウジング部分（１０１）の前側まで達している、ことを特徴とする請求項１に記載の差し込みコネクタ装置。
【請求項３】
第２のハウジング部分（２０１）に、２つのＵ脚（５１０、５２０）のためのガイド溝（６１０、６２０）が設けられている、ことを特徴とする請求項１又は２に記載の差し込みコネクタ装置。
【請求項４】
ガイド溝（６１０、６２０）が、第２のハウジング部分（２０１）の前側まで達している、ことを特徴とする請求項３に記載の差し込みコネクタ装置。
【請求項５】
前記ガイド溝（６１０、６２）と、それらの間に配置されている、後退した面（６０１）が、第２の差し込みコネクタ部分（２０１）内に舌片収容ポケット（５００）を画成し、
２つの差し込みコネクタ部分（１０１、２０１）が互いに差し込まれた状態において、前記係止舌片（３００）が前記舌片収容ポケット内に位置する、
ことを特徴とする請求項３に記載の差し込みコネクタ装置。
【請求項６】
前記係止舌片（３００）が、弾性を有するように形成されている、ことを特徴とする請求項１に記載の差し込みコネクタ装置。
【請求項７】
前記係止舌片（３００）が、第１のハウジング部分（１０１）に一体的に形成されている、ことを特徴とする請求項１に記載の差し込みコネクタ装置。
【請求項８】
前記係止突片（３１０）が、差し込み側に斜面（３１２）を有している、ことを特徴とする請求項１に記載の差し込みコネクタ装置。
【考案の詳細な説明】
【技術分野】
【０００１】
本考案は、請求項１の前文に記載された、互いに差し込み可能な２つの差し込みコネクタ部分を備えた、差し込みコネクタ装置に関する。
【背景技術】
【０００２】
この種の差し込みコネクタ装置は、様々な形態で存在する。
特許文献１からは、組み合わせた接続エレメントを有し、その一方の端部が、絶縁被覆を剥がさずに接続するための圧接接続領域を形成し、他方の端部が差し込み接触相手側ストリップ用の差し込み接触領域を形成し、その場合に圧接接続領域がフラットな、スロットを備えた圧接接続部材を支持している、電気的な差し込みコネクタ用の圧接差し込み接触ストリップが明らかにされている。
接続エレメントは次のように、すなわち接続エレメントの並べて埋め込まれた差し込み接点の列に対して、この接続エレメントの圧接接続部材が圧接接続差し込みストリップ内で複数列になるように、形成されている。
２つの差し込みコネクタ部分は、弾性変位するように形成された係止部材によって互いに係止され、その係止部材は２つの差し込みコネクタ部分が係止された状態において、係止スリット内へ嵌入する。
係止部材は、この差し込みコネクタ装置において、ハウジング上側にほとんど露出するようにして配置されている。
【０００３】
特許文献２からは、少なくとも１つのトンネルを備えたプラグ、少なくとも１つの係止舌片を備えたブッシュ及びプラグに取り付けられた少なくとも１つのカバー部分を有する、電気的導体のための差し込み接続配置が知られており、その場合に少なくとも１つの係止舌片は、差し込み接続配置のまとめて差し込まれた状態においてプラグの少なくとも１つのトンネルと係止するように協働するために設けられており、カバー部分は、係止する協働の状態において少なくとも１つの係止舌片を手動の作用及び工具による操作に対して保護する。
この差し込み接続配置においては、係止された状態において舌片は大体において保護されている。というのは、舌片は、舌片用に設けられているトンネル内に位置しているからである。
しかし、係止されない状態においては、舌片はブッシュから自由に突出しており、したがって容易に損傷を受ける。
【０００４】
特許文献３からは、コシリ安全性（Ｋｏｓｈｉｒｉ−Ｓｉｃｈｅｒｈｅｉｔ）を有する差し込み接続のカップラーとプラグが知られており、それにおいてカップラーハウジングが張り出すばねフラップを有し、そのばねフラップが自由端部の領域内に突出部を有している。
カップラーハウジングとばねフラップは、一体的な構成部品を形成している。
ばねフラップは、それに適合された、対応する他の差し込みコネクタ部分の開口部内へ嵌入する。
この場合においても、ばねフラップは、−カップリングハウジングと一体的に形成されている場合でも−カップリングハウジングから張り出しており、その限りにおいて、取扱いが好ましくない場合には損傷することがあり得る。
【先行技術文献】
【特許文献】
【０００５】
【特許文献１】独国特許出願公開第１０２００４０５４２０３（Ａ１）号明細書
【特許文献２】独国実用新案第２０２０１１０００７３９（Ｕ１）号明細書
【特許文献３】独国特許出願公開第１０２００８０５１５８９（Ａ１）号明細書
【考案の概要】
【考案が解決しようとする課題】
【０００６】
それに対して本考案に係る差し込みコネクタ装置は、差し込みコネクタ装置が、第１のハウジング部分内の舌片収容ポケット内に配置された、係止突片を備えた係止舌片を有し、その場合に係止突片がそのために設けられている、第２のハウジング部分のハウジング壁内の開口部内へ嵌入し、かつ第１のハウジング部分内の舌片収容ポケットが、実質的にＵ字状の横断面をもって溝状に形成されており、その場合に２つの側方のＵ脚が舌片を越えて張り出している、という利点を有している。
２つの側方のＵ脚のこの張り出しが、舌片の特に効果的な保護を可能にする。
というのは、２つのＵ脚の間に位置する舌片は、容易に、たとえば「出て曲がる」ことがないからである。
【課題を解決するための手段】
【０００７】
独立請求項に記載されている差し込みコネクタ装置の好ましい展開と改良が、従属請求項の対象である。
すなわち、好ましく、かつ特に効果的に、２つのＵ脚は差し込み側において一方のハウジング部分の前側まで達している。
この配置が、特に効果的にコシリ安全性を可能にする。
すなわち、プラグの前側まで達し、かつそれらの間に配置されている舌片を越えて側方に張り出す、２つのＵ脚は、差し込みコネクタ装置の係止されない状態において舌片を保護するだけでなく、極めて効果的に差し込みエラー又は、それらの間に配置されている接触エレメントの損傷をもたらすことのあり得る、２つの差し込みコネクタ部分の傾いた差し込みを阻止する。
【０００８】
好ましくは、第２のハウジング部分内に、２つのＵ脚のためのガイド溝が設けられている。
このガイド溝も、極めて効果的に、第２のハウジング部分の前側まで達している。
第２のハウジング部分の前側まで達する、これら２つのガイド溝は、ある意味で、２つのＵ脚のカウンターパートとなり、それがコシリ安全性に関わる。
また、これらガイド溝は、差し込みエラーを阻止するだけでなく、接触エレメントの損傷をもたらすことがあり得る、傾いた差し込みも阻止する。
【０００９】
同時に、ガイド溝は、第２の差し込みコネクタ部分内の舌片収容ポケットを画成し、そのようにして、２つの差し込みコネクタ部分の差し込まれた状態において、２つのＵ脚及びＵ字状の溝と共に舌片収容ポケットを形成し、２つの差し込みコネクタ部分が互いに差し込まれた状態において舌片がその舌片収容ポケット内に位置する。
【００１０】
舌片は、好ましくは弾性変位するように形成されており、かつ好ましくは２つのハウジング部分の一方と一体的に形成されている。
舌片に配置されている突片は、好ましくは差し込み側において斜面を有し、その斜面が、第２のハウジング部分内にそれ用に設けられている開口部内への係止突片の挿入を容易にする。
【図面の簡単な説明】
【００１１】
本考案の実施例を図面に示し、以下で詳細に説明する。
【図１】本考案に係る差し込みコネクタ装置の第１のハウジング部分を示す斜視図である。
【図２】本考案に係る差し込みコネクタ装置の第２のハウジング部分を、斜め上からの視点で示す斜視図である。
【図３】本考案に係る差し込みコネクタ装置の第２のハウジング部分を、他の視点から示す斜視図である。
【考案を実施するための形態】
【００１２】
図１、図２及び図３に示す差し込みコネクタ装置は、２つの差し込みコネクタ部分１００、２００を有している。
一方の差し込みコネクタ部分１００は、たとえばマルチソケットとして形成することができ、それに対して他方の差し込みコネクタ部分２００は、−図示されるように−マルチプラグとして形成されている。
そのために、マルチソケットとして形成されている差し込みコネクタ部分１００内で、ハウジング１０１の差し込み部分１０２内に、ばね接触エレメント１１０が設けられている。
それに対して、マルチプラグとして形成されている差し込みコネクタ部分２００内では、ハウジング２０１の対応するハウジング部分２０２内にブレード接触エレメント２１０が配置されている。
ブレード接触エレメント２１０は、差し込みコネクタ部分１００のそれに適合されたばね接触エレメント１１０内へ差し込み可能である。
【００１３】
第１の差し込みコネクタ部分１００のばね接触エレメント１１０に対して実質的に上方かつ平行に延びるようにして、以下で舌片と略称することもある、係止舌片３００が配置されており、その係止舌片は係止突片３１０を有している。
係止突片３１０は、差し込み方向に斜面３１２を有しており、その斜面が、第２の差し込みコネクタ部分２００のハウジング２０１内に配置されている、係止舌片３００に適合された開口部４００内への挿入を容易にする。
係止舌片３００は、ばね弾性を有するように形成されているので、第２の差し込みコネクタ部分２００のハウジング２０１内へ挿入する際に、ばね接触エレメント１１０の方向へわずかに撓み、それが、スライド面として作用する斜面３１２によって容易にされ、ついには係止突片３１０が完全に開口部４００の後方に位置し、その係止端部３１３が、開口部４００を収容するハウジング壁２２２に添接する。
この場合において、２つの差し込みコネクタ部分は互いに係止されており、互いに引き離すことは、たとえば然るべき工具を用いて、舌片が再びばね接触エレメント１１０の方向に屈曲されることによってのみ、可能である。
【００１４】
舌片３００は、対応する収容ポケット５００内に位置し、その収容ポケットは、舌片３００に対して実質的に平行に延びる面５０１と側方のＵ脚５１０、５２０とを備えて、実質的にＵ字状の形状を有している。
Ｕ脚５１０、５２０は、舌片３００を越えて張り出しており、すなわち舌片３００は、完全に、特にその高さに関して、舌片収容ポケット５００のこのようにして形成されるいわば第１の半体の、Ｕ脚５１０、５２０と面５０１によって形成されるＵ字状の領域内に位置している（図１）。
【００１５】
第２の差し込みコネクタ部分２００（図２）は、ガイド溝６１０、６２０を有しており、それらは２つのＵ字状の脚５１０、５２０を案内するために用いられる。
このようにして、２つの差し込みコネクタ部分の極めて正確かつ極性を間違えることのない互いの差し込みが可能になる。
【００１６】
２つの差し込みコネクタ部分１００、２００の互いに差し込まれた状態において、舌片３００は２つのハウジング部分の内部に位置し、その場合に舌片収容ポケット５００は、２つの溝ウェブ６１１、６２１に対して少し引っ込んだ面６０１との組合せにおいて、第１の差し込みコネクタ部分１００のＵ字状領域と第２の差し込みコネクタ部分２００の2つのガイド溝６１０、６２０とによって形成される（図２）。
２つの差し込みコネクタ部分１００、２００の互いに差し込まれた状態において、面６０１を伴う２つの溝ウェブ６１１、６２１及び２つのＵ脚５１０、５２０と面５０１によって、舌片収容ポケット５００が形形成され、その中に係止舌片３００が完全に保護されて配置されている。
【００１７】
しかし、２つの溝６１０、６２０と該当する溝脚６１１、６２１と組み合わせた２つのＵ字状の脚５１０、５２０は、同時に、さらに他の極めて重要な課題を満たし、それについては以下でさらに詳細に説明する。
【００１８】
２つのＵ脚５１０、５２０も、２つの溝脚６１１、６２１も、２つの差し込みコネクタ部分１００、２００の該当するハウジング部分の前側まで達している。
それらは、比較的がっしりと形成されており、かつ、その形態に基づいて差し込みエラーを阻止するだけではない。
それらは、特に、２つの差し込みコネクタ部分１００、２００の互いに対する傾いた差し込みも阻止し、表現を変えると、いわゆるコシリ安全性の形成にも用いられる。
【００１９】
このＫｏｓｈｉｒｉ−Ｓｉｃｈｅｒｈｅｉｔは、それぞれ差し込みコネクタ部分の前側まで達するＵ脚５１０、５２０と溝脚６１１、６２１によって達成されるだけでなく、接触エレメント１１０ないし２１０が２つの差し込みコネクタ部分１００、２００の前側に対して引っ込んでおり、かつ特に２つのＵ脚５１０、５２０と２つの溝脚６１１、６２１に対しても引っ込んでいることによっても、達成される。
【００２０】
がっしりとしたＵ字状の脚５１０、５２０及び、溝６１０、６２０を画成する溝脚６１１、６２２（それぞれ両者とも差し込みコネクタ部分１００、２００の前側まで達している）と組み合わせて、差し込み接点を後退させて配置することによって、接触エレメントの損傷をもたらすことのある、傾いた差し込みが阻止される。
【００２１】
同時に、面５０１及び後退した面６０１と組み合わせた、Ｕ字状の脚５１０、５２０と溝６１０、６２０の配置と協働により相乗効果を形成しながら、舌片収容ポケット５００が形成され、それが舌片３００を、係止された状態においてだけでなく、特に２つの差し込みコネクタ部分１００、２００が互いに係止されない状態においても、効果的に保護する。
【００２２】
したがって、面５０１を伴うＵ字状の脚５１０、５２０及び溝脚６１１、６２１と後退した面６０１を伴う溝６１０、６２０は、舌片収容ポケット５００の形成を可能にするだけでなく、それらが同時にプラグのコシリ安全性も保証する。
【００２３】
最後に記録しておくが、図１から図３に示す差し込み接続配置は、たとえば導体基板上に配置されて、そこで対応して設けられている導体路と接触される、差し込みコネクタ部分２００と、たとえば、それ自体知られた圧接接続によって対応する電気的導体と接触される、差し込みコネクタ部分１００とを有している。
そのために、開口部１７０が設けられており、その中へ、たとえばフラットリボンケーブル又は個々のワイヤが突出し、それらのワイヤは差し込みコネクタ部分１００内で、たとえば特許文献１に記載されているやり方で、圧接接続によって接触される。
【図１】
0003218961.tif 000003
【図２】
0003218961.tif 000004
【図３】
0003218961.tif 000005
【手続補正書】
【提出日】平成30年9月19日(2018.9.19)
【手続補正１】
【補正対象書類名】実用新案登録請求の範囲
【補正対象項目名】全文
【補正方法】変更
【補正の内容】
【実用新案登録請求の範囲】
【請求項１】
互いに差し込み可能な２つの差し込みコネクタ部分（１００、２００）を有し、前記両者がそれぞれ互いに適合されたハウジング部分（１０１、２０１）と、その中で互いに適合された差し込み接点（１１０、２１０）とを有し、前記２つのハウジング部分（１０１、２０１）が、前記２つのハウジング部分を互いに取り外し可能に係止するための係止部材を有している、差し込みコネクタ装置において、
前記係止部材が、第１のハウジング部分（１０１）内の舌片収容ポケット内に配置された、係止突片（３１０）を備えた少なくとも１つの係止舌片（３００）を有し、
前記係止突片（３１０）が、そのために設けられている、第２のハウジング部分（２０１）のハウジング壁内の開口部（４００）内へ嵌入し、かつ
第１のハウジング部分（１０１）内の前記舌片収容ポケットが、実質的にＵ字形状の横断面をもって溝状に形成されており、
２つの側方のＵ脚（５１０、５２０）が前記係止舌片（３００）を越えて張り出している、
ことを特徴とする差し込みコネクタ装置。
【請求項２】
前記２つのＵ脚（５１０、５２０）が、差し込み側において、第１のハウジング部分（１０１）の前側まで達している、ことを特徴とする請求項１に記載の差し込みコネクタ装置。
【請求項３】
第２のハウジング部分（２０１）に、２つのＵ脚（５１０、５２０）のためのガイド溝（６１０、６２０）が設けられている、ことを特徴とする請求項１又は２に記載の差し込みコネクタ装置。
【請求項４】
ガイド溝（６１０、６２０）が、第２のハウジング部分（２０１）の前側まで達している、ことを特徴とする請求項３に記載の差し込みコネクタ装置。
【請求項５】
前記ガイド溝（６１０、６２０）と、それらの間に配置されている、後退した面（６０１）が、第２の差し込みコネクタ部分（２００）内に舌片収容ポケットを画成し、
２つの差し込みコネクタ部分（１０１、２０１）が互いに差し込まれた状態において、前記係止舌片（３００）が前記舌片収容ポケット内に位置する、
ことを特徴とする請求項３に記載の差し込みコネクタ装置。
【請求項６】
前記係止舌片（３００）が、弾性を有するように形成されている、ことを特徴とする請求項１に記載の差し込みコネクタ装置。
【請求項７】
前記係止舌片（３００）が、第１のハウジング部分（１０１）に一体的に形成されている、ことを特徴とする請求項１に記載の差し込みコネクタ装置。
【請求項８】
前記係止突片（３１０）が、差し込み側に斜面（３１２）を有している、ことを特徴とする請求項１に記載の差し込みコネクタ装置。